(57)【要約】【課題】室外熱交換器の着霜量にかかわらずデフロスト運転時間の短縮化が可能とされ、着霜を確実に除去することができる空気調和機を提供することを目的とする空気調和機を提供することを目的とする。【解決手段】室外気との間で熱交換を行う室外熱交換器と、冷媒を圧縮する圧縮機と、熱交換器の温度を検知する手段である室外熱交温度センサと、圧縮機が圧縮した冷媒を供給して室外熱交換器に熱量を与えて付着した霜を取り除く通常デフロスト運転モード（Ｓ７）とを有する制御装置と、を備えた室外機を有する空気調和機において、制御装置は、デフロスト運転開始（Ｓ１）から所定時間（Ｓ）経過後（Ｓ２）の室外熱交温度センサの温度情報に基づき、通常デフロスト運転モード（Ｓ７）と圧縮機の周波数をデフロスト運転モードの圧縮機周波数よりも上昇させた強化デフロスト運転モード（Ｓ８）とのいずれかを選択する（Ｓ３）ことを特徴とする。【選択図】図２
2010210223.tif 000002
【特許請求の範囲】
【請求項１】
室外気との間で熱交換を行う室外熱交換器と、
冷媒を圧縮する圧縮機と、
前記熱交換器の温度を検知する手段である室外熱交温度センサと、
前記圧縮機が圧縮した冷媒を供給して前記室外熱交換器に熱量を与えて付着した霜を取り除く通常デフロスト運転モードを有する制御装置と、
を備えた室外機を有する空気調和機において、
前記制御装置は、デフロスト運転開始から所定時間経過後の前記室外熱交温度センサの温度情報に基づき、通常デフロスト運転モードと前記圧縮機の周波数を前記デフロスト運転モードの圧縮機周波数よりも上昇させた強化デフロスト運転モードとのいずれかを選択することを特徴とする空気調和機。
【請求項２】
前記制御装置は、前記強化デフロスト運転モードの運転開始が選択された場合、前記室外熱交温度センサによる温度情報が通常デフロスト運転より高い温度の強化デフロスト運転モード終了温度に到達するまで、強化デフロスト運転モードが継続されることを特徴とする請求項１に記載の空気調和機。
【請求項３】
前記制御装置は、前記強化デフロスト運転モードの運転開始が選択された場合、前記室外熱交温度センサによる温度情報が通常デフロスト運転より低い温度の第１終了温度に到達するまで、強化デフロスト運転モードが継続され、前記第１終了温度に到達した後に、前記圧縮機の周波数を前記通常デフロスト運転モードの周波数にまで低減することを特徴とする請求項１に記載の空気調和機。
【請求項４】
室外気との間で熱交換を行う室外熱交換器と、
冷媒を圧縮する圧縮機と、
前記熱交換器の温度を検知する手段である室外熱交温度センサと、
前記圧縮機が圧縮した冷媒を供給して前記室外熱交換器に熱量を与えて付着した霜を取り除く通常デフロスト運転モードを有する制御装置と、
を備えた室外機を有する空気調和機において、
前記制御装置は、デフロスト運転開始から所定時間経過後の前記室外熱交温度センサの温度上昇率の情報に基づき、通常デフロスト運転モードと前記圧縮機の周波数を前記デフロスト運転モードの圧縮機周波数よりも上昇させた強化デフロスト運転モードとのいずれかを選択し、強化デフロスト運転モードが選択された場合には、通常デフロスト運転モード終了温度よりも高い温度に強化デフロスト運転モード終了温度を設定することを特徴とする空気調和機。
【請求項５】
室外気との間で熱交換を行う室外熱交換器と、
冷媒を圧縮する圧縮機と、
前記熱交換器の温度を検知する手段である室外熱交温度センサと、
前記圧縮機が圧縮した冷媒を供給して前記室外熱交換器に熱量を与えて付着した霜を取り除く通常デフロスト運転モードを有する制御装置と、
を備えた室外機を有する空気調和機において、
前記制御装置は、デフロスト運転開始から所定時間経過後の前記室外熱交温度センサの温度上昇率の情報に基づき、通常デフロスト運転モードと前記圧縮機の周波数を前記デフロスト運転モードの圧縮機周波数よりも上昇させた強化デフロスト運転モードとのいずれかを選択し、強化デフロスト運転モードが選択された場合には、前記室外熱交温度センサによる温度情報が通常デフロスト運転より低い温度の第１終了温度に到達するまで、強化デフロスト運転モードが継続され、前記第１終了温度に到達した後に、前記圧縮機の周波数を前記通常デフロスト運転モードの周波数にまで低減することを特徴とする空気調和機。
【発明の詳細な説明】
【技術分野】
【０００１】
本発明は、空気調和機に関し、特に、空気調和機の室外機内に設けられた室外熱交換器のデフロスト制御に関するものである。
【背景技術】
【０００２】
空気調和機は、一般に、室外熱交換器の着霜除去処理を目的として、圧縮機からの高温高圧の冷媒を室外熱交換器に供給し、室外熱交換器の温度上昇によって着霜を除去するデフロスト運転を行う。また、デフロスト運転は、室外熱交換器の温度がデフロスト運転終了温度到達後またはデフロスト運転強制終了設定時間到達後に終了する。
【０００３】
特許文献１には、暖房運転中に圧縮機の周波数を低減させる命令を検出した後、さらに室外熱交換器の入口部が着霜していることを検出した場合に、暖房運転時の圧縮機周波数を維持したままデフロスト運転を行う制御が開示されている。
【先行技術文献】
【特許文献】
【０００４】
【特許文献１】特開平７−１０３６２３号公報
【発明の概要】
【発明が解決しようとする課題】
【０００５】
しかしながら、従来の空気調和機では、デフロスト運転の終了を室外熱交換器の温度によって判定するので、デフロスト運転終了温度まで上昇するのに時間がかかる場合には、相対的に暖房運転時間が短くなってしまい、空調フィーリングが低下するという問題があった。
【０００６】
また、デフロスト運転の終了をデフロスト運転時間によって判定する場合には、デフロスト運転強制終了時間到達後であっても室外熱交換器の着霜が十分に除去されてないこともあり、室外機の運転能力を十分に生かすことができないという問題があった。
【０００７】
特許文献１に記載の発明は、室外熱交換器の着霜量が多い場合には、デフロスト運転設定時間内に室外熱交換器の着霜を十分に除去することができないため、デフロスト運転終了時に室外熱交換器の着霜量の状態を判定して更にデフロスト運転を延長し、着霜の除去を行うことになり、デフロスト運転が長くかかるという問題があった。
【０００８】
本発明は、このような事情に鑑みてなされたものであって、室外熱交換器の着霜量にかかわらずデフロスト運転時間の短縮化が可能とされ、着霜を確実に除去することができる空気調和機を提供することを目的とする。
【課題を解決するための手段】
【０００９】
上記課題を解決するために、本発明の空気調和機は以下の手段を採用する。
本発明の空気調和機は、室外気との間で熱交換を行う室外熱交換器と、冷媒を圧縮する圧縮機と、前記熱交換器の温度を検知する手段である室外熱交温度センサと、前記圧縮機が圧縮した冷媒を供給して前記室外熱交換器に熱量を与えて付着した霜を取り除く通常デフロスト運転モードを有する制御装置と、を備えた室外機を有する空気調和機において、前記制御装置は、デフロスト運転開始から所定時間経過後の前記室外熱交温度センサの温度情報に基づき、通常デフロスト運転モードと前記圧縮機の周波数を前記デフロスト運転モードの圧縮機周波数よりも上昇させた強化デフロスト運転モードとのいずれかを選択することを特徴とする。
【００１０】
デフロスト運転を開始してから所定時間経過した後に室外熱交温度センサが検知する温度情報は、室外熱交換器の着霜量に依存する。すなわち、着霜量が少ない場合は圧縮機の吐出冷媒から供給される熱量が着霜量に対して大きいので、デフロスト運転開始後の所定時間経過後には室外熱交温度センサの温度は比較的速く上昇している。これに対して、着霜量が多い場合は圧縮機の吐出冷媒から供給される熱量が着霜量に対して十分ではないので、デフロスト運転開始後の所定時間経過後であっても室外熱交温度センサの温度はそれほど上昇していない。このような温度情報に基づき、通常デフロスト運転モードと、強化デフロスト運転モードとのいずれかを選択することとしたので、室外熱交換器の着霜量に応じた効果的なデフロスト制御が可能となる。
【００１１】
また、デフロスト運転開始後の所定時間経過後に、室外熱交換器の温度によって着霜量が多いか否かについて判定する。そのため、強化デフロスト運転モードを選択すると、従来のようにデフロスト運転モード終了時に判定して更にデフロスト運転を継続する場合に比べて、短時間でデフロスト運転を終了することができる。その結果として、暖房時間を長く確保でき、空調フィーリングを好適に維持することができる。
【００１２】
さらに、本発明の空気調和機は、前記強化デフロスト運転モードの運転開始が選択された場合、前記室外熱交温度センサによる温度情報が通常デフロスト運転より高い温度の強化デフロスト運転モード終了温度に到達するまで、強化デフロスト運転モードが継続されることを特徴とする。
【００１３】
強化デフロスト運転モード終了温度を高温に設定するので、室外熱交換器の着霜を除去するために十分な熱量が冷媒に供給される。従って、デフロスト運転の時間を短くすることができる。また、室外熱交換器に強行に付着した霜を十分に除去し、室外機の運転能力を十分に回復することができる。
【００１４】
さらに、本発明の空気調和機は、前記強化デフロスト運転モードの運転開始が選択された場合、前記室外熱交温度センサによる温度情報が通常デフロスト運転より低い温度の第１終了温度に到達するまで、強化デフロスト運転モードが継続され、前記第１終了温度に到達した後に、前記圧縮機の周波数を前記通常デフロスト運転モードの周波数にまで低減することを特徴とする。
【００１５】
強化デフロスト運転モードによって冷媒に熱量を多く与えて熱交換器の着霜を除去するために通常デフロスト運転モード終了温度よりも低い温度の第１終了温度に到達した時点で熱交換器の着霜が十分に除去されているので、圧縮機の周波数を低減する。従って、室外熱交換器からの不必要な放熱を防止することができる。
【００１６】
また、本発明の空気調和機は、室外気との間で熱交換を行う室外熱交換器と、冷媒を圧縮する圧縮機と、前記熱交換器の温度を検知する手段である室外熱交温度センサと、前記圧縮機が圧縮した冷媒を供給して前記室外熱交換器に熱量を与えて付着した霜を取り除く通常デフロスト運転モードを有する制御装置と、を備えた室外機を有する空気調和機において、前記制御装置は、デフロスト運転開始から所定時間経過後の前記室外熱交温度センサの温度上昇率の情報に基づき、通常デフロスト運転モードと前記圧縮機の周波数を前記デフロスト運転モードの圧縮機周波数よりも上昇させた強化デフロスト運転モードとのいずれかを選択し、強化デフロスト運転モードが選択された場合には、通常デフロスト運転モード終了温度よりも高い温度に強化デフロスト運転モード終了温度を設定することを特徴とする。
【００１７】
通常デフロスト運転によって供給される熱量だけでは着霜の除去が十分に進行せず、室外熱交換器の温度の上昇が進まないため、所望の温度上昇率が得られないと判定した場合には、通常デフロスト運転モードまたは通常デフロスト運転モードの圧縮機の周波数よりも上昇させた強化デフロスト運転モードを選択するので、室外熱交換器の着霜に応じた効果的なデフロスト制御が可能となる。従って、このような温度上昇率の情報に基づき、通常デフロスト運転モードと、強化デフロスト運転モードとのいずれかを選択することとしので、室外熱交換器の着霜量に応じた効果的なデフロスト制御が可能となる。さらに、強化デフロスト運転モード終了温度を高温に設定するので、室外熱交換器の着霜を除去するために十分な熱量が冷媒に供給される。従って、デフロスト運転の時間を短くすることができる。
【００１８】
また、本発明の空気調和機は、室外気との間で熱交換を行う室外熱交換器と、冷媒を圧縮する圧縮機と、前記熱交換器の温度を検知する手段である室外熱交温度センサと、前記圧縮機が圧縮した冷媒を供給して前記室外熱交換器に熱量を与えて付着した霜を取り除く通常デフロスト運転モードを有する制御装置と、を備えた室外機を有する空気調和機において、前記制御装置は、デフロスト運転開始から所定時間経過後の前記室外熱交温度センサの温度上昇率の情報に基づき、通常デフロスト運転モードと前記圧縮機の周波数を前記デフロスト運転モードの圧縮機周波数よりも上昇させた強化デフロスト運転モードとのいずれかを選択し、強化デフロスト運転モードが選択された場合には、前記室外熱交温度センサによる温度情報が通常デフロスト運転より低い温度の第１終了温度に到達するまで、強化デフロスト運転モードが継続され、前記第１終了温度に到達した後に、前記圧縮機の周波数を前記通常デフロスト運転モードの周波数にまで低減することを特徴とする。
【００１９】
通常デフロスト運転によって供給される熱量だけでは着霜の除去が十分に進行せず、室外熱交換器の温度の上昇が進まないため、所望の温度上昇率が得られないと判定した場合には、通常デフロスト運転モードまたは通常デフロスト運転モードの圧縮機の周波数よりも上昇させた強化デフロスト運転モードを選択するので、室外熱交換器の着霜に応じた効果的なデフロスト制御が可能となる。従って、このような温度上昇率の情報に基づき、通常デフロスト運転モードと、強化デフロスト運転モードとのいずれかを選択することとしので、室外熱交換器の着霜量に応じた効果的なデフロスト制御が可能となる。さらに、強化デフロスト運転モードによって冷媒に熱量を多く与えて熱交換器の着霜を除去するために通常デフロスト運転モード終了温度よりも低い温度の第１終了温度に到達した時点で熱交換器の着霜が十分に除去されているので、圧縮機の周波数を低減する。従って、室外熱交換器からの不必要な放熱を防止することができる。
【発明の効果】
【００２０】
本発明によれば、デフロスト運転開始後の所定時間経過後に通常デフロスト運転モードと強化デフロスト運転モードとのいずれかを選択することとしたので、着霜量に応じたデフロスト制御が可能となり、デフロスト運転継続時間を短くすることができる。また、室外熱交換器に多く付着した霜を除去することができる。
【図面の簡単な説明】
【００２１】
【図１】本発明の第１実施形態における空気調和機の冷媒回路を示す概略構成図である。
【図２】本発明の第１実施形態におけるデフロスト運転制御を示すフローチャートである。
【図３】本発明の第２実施形態におけるデフロスト運転制御を示すフローチャートである。
【図４】本発明の第３実施形態におけるデフロスト運転制御を示すフローチャートである。
【図５】本発明の第４実施形態におけるデフロスト運転制御を示すフローチャートである。
【発明を実施するための形態】
【００２２】
本発明にかかる実施形態について、図面を参照して説明する。
［第１実施形態］
図１には、本発明の第１実施形態における空気調和機の冷媒回路を示す概略構成図が示されている。
【００２３】
空気調和機は、室内機１と室外機２を有している。室内機１と室外機２とは、配管で接続されおり、この配管を介して熱搬送媒体である冷媒が循環される。室内機１には、室内熱交換器３、室内ファン４が設けられている。室内熱交換器３は、供給された冷媒と室内ファン４によって室内気と熱交換を行うことによって空気調和を行う。室内熱交換器３は、暖房運転時には凝縮器として使用され、デフロスト運転時には蒸発器として使用される。室内ファン４は、図示しない駆動モータによって回転され、室内空気を吸い込むとともに室内熱交換器３へ向けて空調空気を流す。
【００２４】
室外機２には、室外熱交換器５、インバータ制御によるモータの駆動周波数制御が可能とされた圧縮機６、四方弁７、膨張弁８、室外熱交温度センサ１０、および制御装置１１が設けられている。
【００２５】
室外熱交換器５は、供給された冷媒と室外ファン（図示せず）とによって室外気と熱交換を行う。室外熱交換器５は、暖房運転時には蒸発器として使用され、デフロスト運転時には凝縮器として使用される。圧縮機６は、冷媒を圧縮して高温高圧のガスを四方弁７に向けて吐出する。四方弁７は、圧縮機６から導かれた冷媒の供給方向を変える。四方弁７は、暖房運転時には圧縮機６で圧縮された冷媒を室内機１に供給する方向に切替えられ、デフロスト運転時には圧縮機６で圧縮された冷媒を室外熱交換器５に供給する方向に切替えられる。膨張弁８は、暖房時には室内機１から室外機２に導かれる冷媒を膨張させる。室外熱交温度センサ１０は、室外熱交換器５に設置され、室外熱交換器５の温度検知手段として使用される。制御装置１１は、室外熱交換器５の温度センサ１０の温度情報に基づいて、四方弁７に対して、デフロスト運転と暖房運転の切替え信号を送信する。制御装置１１は、圧縮機６のモータに信号を送信して、圧縮機６の周波数を変更する。
【００２６】
上記構成の空気調和機は、暖房時には、以下のように運転される。
圧縮機６によって圧縮された高圧高温の冷媒は、四方弁７を介して室内機１へと供給される。室内機１へと導かれた冷媒は、室内熱交換器３にて、室内ファン４によって送風された室内空気と熱交換を行う。冷媒は、室内熱交換器３を流れる際に室内空気から凝縮潜熱を奪われることによって凝縮液化する。室内熱交換器３にて凝縮液化した液冷媒は、室外機２へと導かれ、膨張弁８にて減圧された後、室外熱交換器５へと流れ込む。室外熱交換器５では、室外ファン（図示せず）によって送風された外気と冷媒とが熱交換を行う。冷媒は、外気から蒸発潜熱を奪うことによって蒸発気化する。気化した冷媒は、四方弁７を通過した後、圧縮機６へと返送される。
【００２７】
暖房運転中に、冬期のように外気温度が低下している場合には、室外熱交換器５の温度が氷点下となり、外気中の湿分が霜となり室外熱交換器５の表面上に着霜する。着霜が進行すると室外熱交換器５の表面の大部分を覆うようになり熱交換効率が低下するので、着霜を除去するデフロスト運転を行う。
【００２８】
デフロスト運転は、四方弁７を切り替えて、圧縮機６からの吐出冷媒を室外熱交換器５へと向かうようにする。この吐出冷媒の顕熱を用いることによって、室外熱交換器５の着霜除去を行う。
【００２９】
次に図２を参照して、本発明の第１実施形態におけるデフロスト運転制御のフローチャートを説明する。
【００３０】
制御装置１１は、室外熱交換器５に設置された温度センサ１０の温度情報に基づき、デフロスト運転の開始を判定する（Ｓ１）。制御装置１１は、デフロスト運転開始後は、制御装置１１に備える内部クロック等に基づき所定時間（Ｓ）に到達するまで通常デフロスト運転を継続する（Ｓ２）。
【００３１】
また、制御装置１１は、所定時間（Ｓ）経過後には（Ｓ２）、室外熱交換器５に設置された温度センサ１０の温度情報に基づき、通常デフロスト運転モードの継続または強化デフロスト運転モードの運転を開始する（Ｓ３）。制御装置１１は、室外熱交換器５の温度が設定温度より低い場合には、通常デフロスト運転によって冷媒に供給される熱量に比べて着霜量が過大であると判定し、強化デフロスト運転モードを開始する（Ｓ４）。制御装置１１は、強化デフロスト運転モードが選択されると、圧縮機６に通常デフロスト運転モードの周波数より高い周波数で運転するように信号を送信する（Ｓ４）。
【００３２】
また、制御装置１１は、強化デフロスト運転モード中に、室外熱交換器５の温度情報に基づき、強化デフロスト運転モードを継続または終了する（Ｓ５）。制御装置１１は、室外熱交換器５の温度情報（Ｔ）が強化デフロスト運転モード終了温度（Ｔ１）以下の場合に強化デフロスト運転モードを継続し（Ｓ５）、室外熱交換器５の温度情報（Ｔ）が強化デフロスト運転モード終了温度（Ｔ１）よりも高い温度に到達した場合には強化デフロスト運転モードを終了する。
【００３３】
ここで、強化デフロスト運転モードの終了温度（Ｔ１）は、通常デフロスト運転モード終了温度（Ｔｎ）と同じ温度に設定される場合と、通常デフロスト運転モード終了温度（Ｔｎ）よりも高い温度に設定される場合と、通常デフロスト運転モード終了温度（Ｔｎ）より低い第１終了温度を強化デフロスト運転モードの終了温度（Ｔ１）に設定される場合とのいずれかががある。
【００３４】
強化デフロスト運転モードの終了温度（Ｔ１）が通常デフロスト運転モード終了温度（Ｔｎ）と同じ温度に設定される場合において、制御装置１１は、室外熱交換器５の温度情報（Ｔ）が通常デフロスト運転モード終了温度（Ｔｎ）以下の時には強化デフロスト運転モードを継続し（Ｓ５）、室外熱交換器５の温度情報（Ｔ）が通常デフロスト運転モード終了温度（Ｔｎ）よりも高い温度に到達した場合に強化デフロスト運転モードを終了する。
【００３５】
強化デフロスト運転モードの終了温度（Ｔ１）が通常デフロスト運転モード終了温度（Ｔｎ）よりも高い温度に設定される場合において、制御装置１１は、室外熱交換器５の温度情報（Ｔ）が強化デフロスト運転モードの終了温度（Ｔ１）以下の時には強化デフロスト運転モードを継続し（Ｓ５）、室外熱交換器５の温度情報（Ｔ）が強化デフロスト運転モードの終了温度（Ｔ１）よりも高い温度に到達した場合には強化デフロスト運転モードを終了する。
【００３６】
強化デフロスト運転モードの終了温度（Ｔ１）が通常デフロスト運転モード終了温度（Ｔｎ）よりも低い第１終了温度に設定された場合において、制御装置１１は、室外熱交換器５の温度情報（Ｔ）が第１終了温度以下の時には強化デフロスト運転モードを継続し（Ｓ５）、室外熱交換器５の温度情報（Ｔ）が第１終了温度よりも高い温度に到達した場合には強化デフロスト運転モードを終了して、圧縮機６の周波数を通常デフロスト運転モードの周波数に下げる信号を送信する。
【００３７】
一方、制御装置１１は、デフロスト運転所定時間後（Ｓ２）、室外熱交換器５の温度情報が設定温度よりも高い場合には（Ｓ３）、通常デフロスト運転モードより供給される熱量によって着霜量が除去できると判定し、通常デフロスト運転モードを継続する（Ｓ７）。
【００３８】
また、制御装置１１は、通常デフロスト運転モード中に、室外熱交換器５の温度情報（Ｔ）と通常デフロスト運転モード終了温度（Ｔｎ）とを比較して（Ｓ８）、通常デフロスト運転モード終了温度（Ｔｎ）よりも室外熱交換器５の温度が高くなるまで通常デフロスト運転モードを継続する（Ｓ８）。
【００３９】
以上の通り、本実施形態の空気調和機によれば、以下の作用効果を奏する。
デフロスト運転を開始（Ｓ１）してから所定時間（Ｓ）経過した後（Ｓ２）、室外熱交温度センサ１０が検知する温度情報（Ｔ）は、室外熱交換器５の着霜量に依存する。すなわち、着霜量が少ない場合は圧縮機６の吐出冷媒から供給される熱量が着霜量に対して大きいので、デフロスト運転開始後の所定時間経過後には（Ｓ２）、室外熱交温度センサ１０の温度（Ｔ）は比較的速く上昇している。これに対して、着霜量が多い場合は圧縮機６の吐出冷媒から供給される熱量が着霜量に対して十分ではないので、デフロスト運転開始後の所定時間経過後（Ｓ２）であっても室外熱交温度センサ１０の温度（Ｔ）はそれほど上昇していない。従って、これらの温度情報（Ｔ）に基づき、通常デフロスト運転モードと強化デフロスト運転モードとのいずれかを選択することとしたので（Ｓ３）、室外熱交換器５の着霜量に応じた効果的なデフロスト制御が可能となる。
【００４０】
［第２実施形態］
以下、本発明の第２実施形態について、図３に基づき説明する。
本実施形態の空気調和機の構成は第１実施形態と同様なので、その説明は省略する。また、本実施形態は、室外熱交換器の温度上昇率によって通常デフロスト運転モードと強化デフロスト運転モードとを選択し、強化デフロスト運転モードが選択された場合には、通常デフロスト運転モード終了温度よりも高い温度に設定した強化デフロスト運転モード終了温度に到達するまで強化デフロスト運転モードを継続する点において第１実施形態と相違する。したがって、同一のステップについては同一符号を付し、その説明を省略する。
【００４１】
図３には、本発明の第２実施形態におけるデフロスト運転制御のフローチャートが示されている。
【００４２】
制御装置１１は、デフロスト運転開始後（Ｓ１）の所定時間（Ｓ）経過後に（Ｓ２）、室外熱交温度センサ１０によって室外熱交換器５の温度上昇率を演算する。この温度上昇率によって、通常デフロスト運転モードの継続または強化デフロスト運転モードの運転を開始する（Ｓ３０）。具体的には、室外熱交換器５の温度上昇率が設定値よりも低い場合には、制御装置１１は、強化デフロスト運転モードを開始する（Ｓ４）。これは、通常デフロスト運転によって供給される熱量だけでは着霜の除去が十分に進行せず、室外熱交換器５の温度の上昇が進まないため、所望の温度上昇率が得られないと判定できるからである。制御装置１１は、強化デフロスト運転モードが選択されると、圧縮機６に通常デフロスト運転モードの周波数よりも高い周波数で運転をするように信号を送信する。圧縮機６の運転周波数が上昇すると、その分だけ吐出冷媒の熱量が増加し、これにより、強化デフロスト運転が行われる（Ｓ４）。
【００４３】
なお、温度上昇率は、所定時間内（Ｓ）における室外熱交温度センサ１０の温度上昇幅である。温度上昇率を算出する際に用いられる所定時間（Ｓ）としては、デフロスト運転開始から所定時間（Ｓ）経過後までの時間（例えば、数十秒）が用いられる。つまり、温度上昇率としては、通常デフロスト運転モードを継続してもデフロスト運転終了時間経過後にデフロスト終了温度に到達できない場合と、デフロスト終了温度に到達できる場合とを分けることができる時刻の温度上昇率を用いればよい。このような温度上昇率は、試験運転によって得ることができる。
【００４４】
また、制御装置１１は、強化デフロスト運転モード中に、室外熱交換器５の温度情報（Ｔ）と強化デフロスト運転モード終了温度（Ｔ１）とを比較し、強化デフロスト運転モードを継続または終了する（Ｓ５）。制御装置１１は、通常デフロスト運転モード終了温度（Ｔｎ）よりも高い温度に強化デフロスト運転モード終了温度（Ｔ１）を設定し（Ｓ６）、室外熱交換器５の温度情報（Ｔ）が強化デフロスト運転モード終了温度（Ｔ１）以下の場合には強化デフロスト運転モードを継続し、強化デフロスト運転モード終了温度（Ｔ１）よりも高い場合には強化デフロスト運転モードを終了する（Ｓ５）。
【００４５】
以上の通り、本実施形態の空気調和機によれば、以下の作用効果を奏する。
通常デフロスト運転モード開始から所定時間（Ｓ）経過後に（Ｓ２）、通常デフロスト運転モードによって供給される熱量だけで着霜を効果的に除去することができる程度に室外熱交換器５が十分な温度上昇率になっているかを判定することによって（Ｓ３０）、通常デフロスト運転モードまたは通常デフロスト運転モードの圧縮機６の周波数よりも上昇させた強化デフロスト運転モードのいずれかを選択する。このような温度上昇率に基づき、通常デフロスト運転モードと、強化デフロスト運転モードとのいずれかを選択することとし（Ｓ３０）、さらに、強化デフロスト運転モードの終了温度を通常デフロスト運転モード終了温度よりも高く設定したので（Ｓ６）、室外熱交換器５の着霜量に応じた効果的なデフロスト制御が可能となる。
【００４６】
［第３実施形態］
以下、本発明の第３実施形態について、図４に基づき説明する。
本実施形態の空気調和機の構成は第１実施形態と同様なので、その説明は省略する。また、本実施形態は、室外熱交換器の温度上昇率によって通常デフロスト運転モードと強化デフロスト運転モードとのいずれかを選択する点において第１実施形態と相違する。したがって、同一のステップについては同一符号を付し、その説明を省略する。
【００４７】
図４には、本発明の第３実施形態におけるデフロスト運転制御のフローチャートが示されている。
【００４８】
制御装置１１は、デフロスト運転開始（Ｓ１）した際に、室外熱交温度センサ１０によって室外熱交換器５の温度上昇率を演算する。この温度上昇率によって、通常デフロスト運転モードの継続または強化デフロスト運転モードの運転を開始する（Ｓ３０）。具体的には、室外熱交換器５の温度上昇率が規定値よりも低い場合には、制御装置１１は、強化デフロスト運転モードを開始する（Ｓ４）。これは、通常デフロスト運転によって供給される熱量だけでは着霜の除去が十分に進行せず、室外熱交換器５の温度の上昇が進まないため、所望の温度上昇率が得られないと判定できるからである。制御装置１１は、強化デフロスト運転モードが選択されると、圧縮機６に通常デフロスト運転モードの周波数よりも高い周波数で運転をするように信号を送信する。圧縮機６の運転周波数が上昇すると、その分だけ吐出冷媒の熱量が増加し、これにより、強化デフロスト運転が行われる（Ｓ４）。
【００４９】
なお、温度上昇率は、所定時間内における室外熱交温度センサ１０の温度上昇幅である。温度上昇率を算出する際に用いられる所定時間としては、デフロスト運転開始からの時間ではなく、デフロスト運転中の所定時間が用いられる。つまり、温度上昇率としては、通常デフロスト運転モードを継続してもデフロスト運転終了時間経過後にデフロスト終了温度に到達できない場合と、デフロスト終了温度に到達できる場合とを分けることができる時刻の温度上昇率を用いればよい。このような温度上昇率は、試験運転によって得ることができる。
【００５０】
また、制御装置１１は、強化デフロスト運転モード中に、室外熱交換器５の温度情報（Ｔ）と強化デフロスト運転モード終了温度（Ｔ１）とを比較し、強化デフロスト運転モードを継続または終了する（Ｓ５）。制御装置１１は、通常デフロスト運転モード終了温度（Ｔｎ）よりも高い温度を強化デフロスト運転モードの終了温度（Ｔ１）に設定し、室外熱交換器５の温度情報（Ｔ）が強化デフロスト運転モード（Ｔ１）以下の場合に強化デフロスト運転モードを継続し（Ｓ４）、室外熱交換器５の温度情報（Ｔ）が強化デフロスト運転モード（Ｔ１）よりも高い場合には強化デフロスト運転モードを終了して、圧縮機６の周波数を通常デフロスト運転モードの周波数に下げる信号を送信する。
【００５１】
また、制御装置１１は、強化デフロスト運転モード中に、室外熱交換器５の温度情報に基づき、強化デフロスト運転モードを継続または終了する（Ｓ４）。通常デフロスト運転モード終了温度（Ｔｎ）より低い第１終了温度を強化デフロスト運転モードの終了温度（Ｔ1）に設定し、室外熱交換器５の温度情報（Ｔ）が第１終了温度より低い場合には強化デフロスト運転モードを継続し（Ｓ５）、第１終了温度以上の場合には強化デフロスト運転モードを終了して、圧縮機６の周波数を通常デフロスト運転モードの周波数に下げる信号を送信する。
【００５２】
以上の通り、本実施形態の空気調和機によれば、以下の作用効果を奏する。
通常デフロスト運転開始時（Ｓ１）に、着霜を効果的に除去するために室外熱交換器５が十分な温度上昇率になっているかを判定することによって（Ｓ３０）、通常デフロスト運転モード、または通常デフロスト運転モードの圧縮機６の周波数よりも上昇させた強化デフロスト運転モードとを選択する。このような温度上昇率に基づき、通常デフロスト運転モードと強化デフロスト運転モードとのいずれかを選択することとしたので、室外熱交換器５の着霜量に応じた効果なデフロスト制御が可能となる。
【００５３】
［第４実施形態］
以下、本発明の第４実施形態について、図５に基づき説明する。
本実施形態の空気調和機の構成は第１実施形態と同様なので、その説明は省略する。また、本実施形態は、室外熱交換器の温度上昇率によって通常デフロスト運転モードと強化デフロスト運転モードとを選択し、強化デフロスト運転モードが選択された場合には、通常デフロスト運転モード終了温度よりも高い温度に設定した強化デフロスト運転モード終了温度に到達するまで強化デフロスト運転モードを継続する点において第１実施形態と相違する。したがって、同一のステップについては同一符号を付し、その説明を省略する。
【００５４】
図５には、本発明の第４実施形態におけるデフロスト運転制御のフローチャートが示されている。
【００５５】
デフロスト運転開始（Ｓ１）した際に、室外熱交温度センサ１０によって室外熱交換器５の温度上昇率を演算する。この温度上昇率によって、通常デフロスト運転モードの継続または強化デフロスト運転モードの運転を開始する（Ｓ３０）。具体的には、室外熱交換器５の温度上昇率が設定値以下の場合には、制御装置１１は、強化デフロスト運転モードを開始する（Ｓ４）。これは、通常デフロスト運転によって供給される熱量だけでは着霜の除去が十分に進行せず、室外熱交換器５の温度の上昇が進まないため、所望の温度上昇率が得られないと判定できるからである。制御装置１１は、強化デフロスト運転モードが選択されると、圧縮機６に通常デフロスト運転モードの周波数よりも高い周波数で運転をするように信号を送信する。圧縮機６の運転周波数が上昇すると、その分だけ吐出冷媒の熱量が増加し、これにより、強化デフロスト運転が行われる（Ｓ４）。
【００５６】
なお、温度上昇率は、所定時間内における室外熱交温度センサ１０の温度上昇幅である。温度上昇率を算出する際に用いられる所定時間としては、デフロスト運転中の所定時間が用いられる。つまり、温度上昇率としては、通常デフロスト運転モードを継続してもデフロスト運転終了時間経過後にデフロスト終了温度に到達できない場合と、デフロスト終了温度に到達できる場合とを分けることができる時刻の温度上昇率を用いればよい。このような温度上昇率は、試験運転によって得ることができる。
【００５７】
制御装置１１は、室外熱交換器５に設置された温度センサ１０の温度情報に基づき、デフロスト運転の開始を判定する（Ｓ１）。デロスト運転開始後に、制御装置１１は、室外熱交換器５の温度上昇率によって、通常デフロスト運転モードを継続または強化デフロスト運転モードの運転を開始する（Ｓ３０）。制御装置１１は、室外熱交換器５の温度上昇率が設定温度上昇率より低い場合には、通常デフロスト運転によって供給される熱量だけでは着霜を効果的に除去するために十分な室外熱交換器５の温度上昇率ではない判定し、強化デフロスト運転モードを開始する（Ｓ３０）。制御装置１１は、強化デフロスト運転モードが選択されると、圧縮機６に通常デフロスト運転モードの周波数より高い周波数で運転するように信号を送信する。
【００５８】
また、制御装置１１は、強化デフロスト運転モード中に、室外熱交換器５の温度情報（Ｔ）と強化デフロスト運転モード終了温度（Ｔ１）とを比較し、強化デフロスト運転モードを継続または終了する（Ｓ５）。制御装置１１は、通常デフロスト運転モード終了温度（Ｔｎ）よりも高い温度に強化デフロスト運転モード終了時間（Ｔ１）を設定し（Ｓ６）、室外熱交換器５の温度情報（Ｔ）が強化デフロスト運転モード終了温度（Ｔ１）以下の場合には強化デフロスト運転モードを継続し、強化デフロスト運転モード終了温度（Ｔ１）よりも高い場合には強化デフロスト運転モードを終了する（Ｓ５）。
【００５９】
以上の通り、本実施形態の空気調和機によれば、以下の作用効果を奏する。
通常デフロスト運転開始（Ｓ１）に、着霜を効果的に除去するために室外熱交換器５が十分な温度上昇率になっているか判定することによって（Ｓ３０）、通常デフロスト運転モード、または通常デフロスト運転モードの圧縮機６の周波数よりも上昇させた強化デフロスト運転モードを選択する。このような温度上昇率に基づき、通常デフロスト運転モードと強化デフロスト運転モードとのいずれかを選択することとし（Ｓ３０）、強化デフロスト運転モードが選択された場合には、通常デフロスト運転モードよりも高い温度に強化デフロスト運転モード終了温度を設定したので、デフロスト運転時間を短くすることができ、また室外熱交換器５の着霜量に応じた効果なデフロスト制御が可能となる。
【符号の説明】
【００６０】
１    室外機
５    室外熱交換器
６    圧縮機
１０  室外熱交温度センサ
１１  制御装置
【図１】
2010210223.tif 000003
【図２】
2010210223.tif 000004
【図３】
2010210223.tif 000005
【図４】
2010210223.tif 000006
【図５】
2010210223.tif 000007